(57)【要約】【課題】安定した輝度の白色光を出力可能なＬＥＤ照明装置を提供する。【解決手段】入力パルス信号Ｄが遅延回路５０で、抵抗ＲｇとコンデンサＣｇによる時定数ｔｇによって位相ずれした駆動パルス信号Ｄｇとなる。駆動パルス信号Ｄｇは、トランジスタＴｒ１０のベースに入力され、コレクタはＬＥＤ１２を介して電流制限抵抗Ｒｇ’に接続され、電流制限抵抗Ｒｇ’は電源電圧Ｖｃｃに接続される。駆動パルス信号ＤｇがＨのとき、トランジスタＴｒ１０がＯＮし駆動電流が流れ、電流制限抵抗Ｒｇ’によりＬＥＤ１２の発光効率が制御される。同様に、入力パルス信号ＤがＨのとき、駆動パルス信号Ｄｇ，Ｄｒ，Ｄｂが順次時間差ずれしてＨとなり、ＲＧＢのＬＥＤ１２，１４，１６が順次発光する。ＬＥＤ１２，１４，１６の順方向電圧ＶFに応じて、電流制限抵抗Ｒｇ’，Ｒｒ’，Ｒｂ’の抵抗値が設定されているので、発光時のＬＥＤ１２，１４，１６の発光効率が揃う。【選択図】図１
2006004839.tif 000002
【特許請求の範囲】
【請求項１】
それぞれ赤、青、緑の発光層を有する３種類の発光ダイオードと、
前記３種類の発光ダイオードのそれぞれに供給する駆動電流の電流値を、前記３種類の発光ダイオードの順方向電圧に応じて変更する電流調整回路と、を有し、
前記３種類の発光ダイオードの発光効率を合わせることを特徴とするＬＥＤ照明装置。
【請求項２】
請求項１に記載のＬＥＤ照明装置において、
さらに、入力パルス信号を受け入れ、前記３種類の発光ダイオードに前記入力パルス信号の位相を順次ずらした駆動パルス信号を印加する遅延回路を有することを特徴とするＬＥＤ照明装置。
【請求項３】
請求項１または請求項２に記載のＬＥＤ照明装置において、
前記３種類の発光ダイオードは、それぞれ複数個からなる同発光色の発光ダイオード群からなり、
前記発光ダイオード群は、前記同発光色の発光ダイオードがそれぞれ直列に接続され、
発光色の異なる前記発光ダイオード群の発光効率を合わせるように、前記発光ダイオード群を構成する発光ダイオードの個数が調整されていることを特徴とするＬＥＤ照明装置。
【請求項４】
請求項２または請求項３に記載のＬＥＤ照明装置において、
前記入力パルス信号は、１つのパルス幅を有する１種類の入力パルス信号またはＲＧＢのぞれぞれに応じたパルス幅を有する３種類の入力パルス信号であることを特徴とするＬＥＤ照明装置。
【発明の詳細な説明】
【技術分野】
【０００１】
安定した輝度の白色光を出力可能なＬＥＤ照明装置に関する。
【背景技術】
【０００２】
ＯＡ機器、ビデオカメラ、携帯電話などの電子機器には、文字図形などの画像情報を表示する液晶表示パネルが設けられ、この液晶パネルは、その背面から導光板と導光板の端面に設けられた光源からなるバックライトにより照明されている。
【０００３】
上記バックライトの光源としては、従来小柄の蛍光ランプが使用されていたが、近年赤（Ｒ）、緑（Ｇ）、青（Ｂ）のそれぞれの波長を有する３色の発光ダイオード（ＬＥＤ）を使用した白色光のバックライトが使用されるようになってきている。
【発明の開示】
【発明が解決しようとする課題】
【０００４】
しかしながら、ＲＧＢそれぞれの発光波長を有する３種類のＬＥＤは、それを構成する発光層の素材などが異なり、それによって、それぞれ発光効率、順方向電圧ＶFが異なる。したがって、上記３種類のＬＥＤに同一の時間同一電流を通電したとしても、必ずしも３種類のＬＥＤによる最良のホワイトバランスが得られるわけではなく、場合によっては偏った色の照明になるおそれがあった。
【０００５】
また、上記３種類のＬＥＤに出力されるパルス信号の位相が一致する場合には、３種類のＬＥＤが一斉にＯＮ／ＯＦＦするため瞬間的に電源に大きな負荷が生じ、特に３種類のＬＥＤが一斉にＯＮする場合には、瞬間的に大電流が流れるために電源系からのノイズが発生し、照明に悪影響を及ぼすおそれがあった。
【０００６】
本発明は、ホワイトバランスが良好で安定した輝度の白色光を発するＲＧＢ３色からなるＬＥＤを有するＬＥＤ照明装置を提供することを目的とする。
【課題を解決するための手段】
【０００７】
本発明のＬＥＤ照明装置は、以下の特徴を有する。
【０００８】
（１）それぞれ赤、青、緑の発光層を有する３種類の発光ダイオードと、前記３種類の発光ダイオードのそれぞれに供給する駆動電流の電流値を前記３種類の発光ダイオードの順方向電圧に応じて変更する電流調整回路と、を有し、前記３種類の発光ダイオードの発光効率を合わせるＬＥＤ照明装置である。
【０００９】
これにより、３種類の発光ダイオードの発光効率が揃い、ホワイトバランスが良好なＬＥＤ照明装置を提供することができる。
【００１０】
（２）上記（１）に記載のＬＥＤ照明装置において、さらに、入力パルス信号を受け入れ、前記３種類の発光ダイオードに前記入力パルス信号の位相を順次ずらした駆動パルス信号を印加する遅延回路を有する。
【００１１】
３種類の発光ダイオードに位相が順次ずらされた駆動パルス信号を印加することによって、３種類のＬＥＤが一斉にＯＮまたはＯＦＦすることがなく、したがって、瞬間的に大電流が流れることもないため、電源系からのノイズの発生を抑制することができ、安定した照明を行うことができる。
【００１２】
（３）上記（１）または（２）に記載のＬＥＤ照明装置において、前記３種類の発光ダイオードは、それぞれ複数個からなる同発光色の発光ダイオード群からなり、前記発光ダイオード群は、前記同発光色の発光ダイオードがそれぞれ直列に接続され、発光色の異なる前記発光ダイオード群の発光効率を合わせるように、前記発光ダイオード群を構成する発光ダイオードの個数が調整されている。
【００１３】
上記構成とすることにより、容易に３種類の発光ダイオード群の発光効率を合わせることができ、ホワイトバランスの良好な照明装置が得られる。
【００１４】
（４）上記（２）または（３）に記載のＬＥＤ照明装置において、前記入力パルス信号は、１つのパルス幅を有する１種類の入力パルス信号またはＲＧＢのぞれぞれに応じたパルス幅を有する３種類の入力パルス信号である。
【発明の効果】
【００１５】
以上説明したように、本発明によれば、安定した輝度の白色光を出力することができる。
【発明を実施するための最良の形態】
【００１６】
以下、本発明の実施形態について、図面に基づいて説明する。
【００１７】
［実施形態１］
図１に、実施形態１のＲＧＢからなるＬＥＤを用いた白色光を形成する回路構成を示す。
【００１８】
実施形態１のＬＥＤ照明装置は、パルス幅変調（ＰＷＭ）コントローラ１０と、ＰＷＭコントローラ１０からの入力パルス信号の位相を順次ずらし、３種類の位相差を有する駆動パルス信号を出力する遅延回路５０と、前記３種類の位相差を有する駆動パルス信号により生成された駆動電流の電流値を３種類の発光ダイオードの順方向電圧ＶFに応じて調整する電流調整回路と、前記電流調整回路によりそれぞれ電流値が調整された３種類の駆動電流が供給される赤、青、緑の発光層を有する３種類の発光ダイオード１２，１４，１６と、を有する。
【００１９】
次に、本実施形態のＬＥＤ照明装置の動作について図１を用いて説明する。
【００２０】
ＰＷＭコントローラ１０から入力パルス信号Ｄが遅延回路５０に入力され、抵抗ＲｇとコンデンサＣｇによる１次ローパスフィルタの時定数ｔｇによって位相ずれした駆動パルス信号Ｄｇ、同様に、抵抗ＲｒとコンデンサＣｒによる１次ローパスフィルタの時定数ｔｒによって位相ずれした駆動パルス信号Ｄｒ、さらに、抵抗ＲｂとコンデンサＣｂによる１次ローパスフィルタの時定数ｔｂによって位相ずれした駆動パルス信号Ｄｂがそれぞれ生成され出力される。ここで、駆動パルス信号Ｄｇ，Ｄｒ，Ｄｂはそれぞれ位相差を有し、順次位相がずれていることが望ましい。
【００２１】
上記遅延回路５０より得られた駆動パルス信号Ｄｇは、ＮＰＮ型のトランジスタＴｒ１０のベースに入力される。トランジスタＴｒ１０のエミッタはグランドに接続され、一方トランジスタＴｒ１０のコレクタはＬＥＤ１２を介して電流制限抵抗Ｒｇ’に接続され、電流制限抵抗Ｒｇ’の他端は電源電圧Ｖｃｃを供給する電源に接続されている。したがって、上記遅延回路５０より得られた駆動パルス信号ＤｇがＨのときに、トランジスタＴｒ１０がＯＮして駆動電流が流れ、電流制限抵抗Ｒｇ’によって、緑（Ｇ）の発光波長を有するＬＥＤ１２の発光効率が制御される。
【００２２】
同様に、上記遅延回路５０より得られた駆動パルス信号Ｄｒは、ＮＰＮ型のトランジスタＴｒ１２のベースに入力される。トランジスタＴｒ１２のエミッタはグランドに接続され、一方トランジスタＴｒ１２のコレクタはＬＥＤ１４を介して電流制限抵抗Ｒｒ’に接続され、電流制限抵抗Ｒｒ’の他端は電源電圧Ｖｃｃを供給する電源に接続されている。したがって、上記遅延回路５０より得られた駆動パルス信号ＤｒがＨのときに、トランジスタＴｒ１２がＯＮして駆動電流が流れ、電流制限抵抗Ｒｒ’によって、赤（Ｒ）の発光波長を有するＬＥＤ１４の発光効率が制御される。
【００２３】
また、上記遅延回路５０より得られた駆動パルス信号Ｄｂは、ＮＰＮ型のトランジスタＴｒ１４のベースに入力される。トランジスタＴｒ１４のエミッタはグランドに接続され、一方トランジスタＴｒ１４のコレクタはＬＥＤ１６を介して電流制限抵抗Ｒｂ’に接続され、電流制限抵抗Ｒｂ’の他端は電源電圧Ｖｃｃを供給する電源に接続されている。したがって、上記遅延回路５０より得られた駆動パルス信号ＤｂがＨのときに、トランジスタＴｒ１４がＯＮして駆動電流が流れ、電流制限抵抗Ｒｂ’によって、青（Ｂ）の発光波長を有するＬＥＤ１６の発光効率が制御される。
【００２４】
入力パルス信号ＤがＨのとき、駆動パルス信号Ｄｇ，Ｄｒ，Ｄｂが順次時間差ずれしてＨになり、その結果、順次時間差ずれしてＲＧＢのＬＥＤ１２，１４，１６が順次発光する。したがって、瞬間的に大電流が流れてノイズが発生するおそれがなく、安定した照明を行うことができる。
【００２５】
また、予め、ＬＥＤ１２，１４，１６の順方向電圧ＶFに応じて、電流制限抵抗Ｒｇ’，Ｒｒ’，Ｒｂ’の抵抗値が設定されている。したがって、発光時のＬＥＤ１２，１４，１６の発光効率は揃い、ホワイトバランスの良好なＬＥＤ照明を行うことができる。
【００２６】
［実施形態２］
図２に、実施形態２のＲＧＢからなるＬＥＤを用いた白色光を形成する回路構成を示す。
【００２７】
実施形態２のＬＥＤ照明装置は、パルス幅変調（ＰＷＭ）コントローラ１０と、ＰＷＭコントローラ１０からの入力パルス信号の位相を順次ずらし、３種類の位相差を有する駆動パルス信号を出力する遅延回路と、前記３種類の位相差を有する駆動パルス信号により生成された駆動電流の電流値を３種類の発光ダイオードの順方向電圧ＶFに応じて調整する電流調整回路と、前記電流調整回路によりそれぞれ電流値が調整された３種類の駆動電流が供給される赤、青、緑の発光層を有する３種類の発光ダイオード群２０，２２，２４と、を有する。
【００２８】
次に、本実施形態のＬＥＤ照明装置の動作について図２を用いて説明する。
【００２９】
ＰＷＭコントローラ１０から入力パルス信号Ｄが遅延回路に入力される。入力パルス信号Ｄは、ＮＰＮ型のトランジスタＴｒ１６のベースに入力される。トランジスタＴｒ１６のコレクタは電源電圧Ｖｃｃを供給する電源に接続され、トランジスタＴｒ１６のエミッタは抵抗Ｒ1を介してグランドに接続されるとともに抵抗Ｒｇに接続されている。抵抗ＲｇとコンデンサＣｇによる１次ローパスフィルタの時定数ｔｇによって位相ずれした駆動パルス信号Ｄｇが生成され、トランジスタＴｒ１８のベースに入力される。定電流源３０はグランドに接続されるとともに、一対のＮＰＮ型のトランジスタＴｒ１８，２０のエミッタに共通接続されている。トランジスタＴｒ１８のコレクタは電源電圧Ｖｃｃを供給する電源に接続し、一方、トランジスタＴｒ２０のコレクタは抵抗Ｒ2を介して電源電圧Ｖｃｃを供給する電源に接続されるとともに、ＮＰＮ型のトランジスタＴｒ２２のベースに接続されている。また、トランジスタＴｒ２０のベースは、抵抗Ｒ3を介して電源電圧Ｖｃｃを供給する電源に接続されるとともにＤｕｔｙ調整抵抗Ｒｇ2を介してグランドに接続されている。さらに、上記トランジスタＴｒ２２のコレクタは、電源電圧Ｖｃｃを供給する電源に接続され、トランジスタＴｒ２２のエミッタは抵抗Ｒ4を介してグランドに接続されるとともにＮＰＮ型のトランジスタＴｒ２４のベースに接続されている。また、トランジスタＴｒ２４のエミッタはグランドに接続され、トランジスタＴｒ２４のコレクタはＬＥＤ群２０に接続されている。
【００３０】
したがって、入力パルス信号ＤがＨのとき、トランジスタＴｒ１６がオンして、駆動電流が流れ抵抗ＲｇとコンデンサＣｇによる１次ローパスフィルタの時定数ｔｇによって位相ずれした駆動パルス信号Ｄｇが生成され、トランジスタＴｒ１８がオンする。Ｄｕｔｙ調整抵抗Ｒｇ2によりＤｕｔｙが調整された駆動電流ｉgが生成する。同時に、トランジスタＴｒ２０のオフで、トランジスタＴｒ２２がオンして、さらにトランジスタＴｒ２４がオンして、緑の発光層を有する複数のＬＥＤからなるＬＥＤ群２０に駆動電流ｉgが供給され、ＬＥＤ群２０より緑波長光が発せられる。
【００３１】
同様に、入力パルス信号Ｄは、ＮＰＮ型のトランジスタＴｒ２６のベースに入力される。トランジスタＴｒ２６のコレクタは電源電圧Ｖｃｃを供給する電源に接続され、トランジスタＴｒ２６のエミッタは抵抗Ｒ5を介してグランドに接続されるとともに抵抗Ｒｒに接続されている。抵抗ＲｒとコンデンサＣｒによる１次ローパスフィルタの時定数ｔｒによって位相ずれした駆動パルス信号Ｄｒが生成され、トランジスタＴｒ２８のベースに入力される。定電流源３２はグランドに接続されるとともに、一対のＮＰＮ型のトランジスタＴｒ２８，３０のエミッタに共通接続されている。トランジスタＴｒ２８のコレクタは電源電圧Ｖｃｃを供給する電源に接続し、一方、トランジスタＴｒ３０のコレクタは抵抗Ｒ6を介して電源電圧Ｖｃｃを供給する電源に接続されるとともに、ＮＰＮ型のトランジスタＴｒ３２のベースに接続されている。また、トランジスタＴｒ３０のベースは、抵抗Ｒ7を介して電源電圧Ｖｃｃを供給する電源に接続されるとともにＤｕｔｙ調整抵抗Ｒｒ2を介してグランドに接続されている。さらに、上記トランジスタＴｒ３２のコレクタは、電源電圧Ｖｃｃを供給する電源に接続され、トランジスタＴｒ３２のエミッタは抵抗Ｒ8を介してグランドに接続されるとともにＮＰＮ型のトランジスタＴｒ３４のベースに接続されている。また、トランジスタＴｒ３４のエミッタはグランドに接続され、トランジスタＴｒ３４のコレクタはＬＥＤ群２２に接続されている。
【００３２】
したがって、入力パルス信号ＤがＨのとき、トランジスタＴｒ２６がオンして、駆動電流が流れ抵抗ＲｒとコンデンサＣｒによる１次ローパスフィルタの時定数ｔｒによって位相ずれした駆動パルス信号Ｄｒが生成され、トランジスタＴｒ２８がオンする。Ｄｕｔｙ調整抵抗Ｒｒ2によりＤｕｔｙが調整された駆動電流ｉrが生成する。同時に、トランジスタＴｒ３０のオフで、トランジスタＴｒ３２がオンして、さらにトランジスタＴｒ３４がオンして、赤の発光層を有する複数のＬＥＤからなるＬＥＤ群２２に駆動電流ｉrが供給され、ＬＥＤ群２２より赤波長光が発せられる。
【００３３】
さらに、入力パルス信号Ｄは、ＮＰＮ型のトランジスタＴｒ３６のベースに入力される。トランジスタＴｒ３６のコレクタは電源電圧Ｖｃｃを供給する電源に接続され、トランジスタＴｒ３６のエミッタは抵抗Ｒ10を介してグランドに接続されるとともに抵抗Ｒｂに接続されている。抵抗ＲｂとコンデンサＣｂによる１次ローパスフィルタの時定数ｔｂによって位相ずれした駆動パルス信号Ｄｂが生成され、トランジスタＴｒ３８のベースに入力される。定電流源３４はグランドに接続されるとともに、一対のＮＰＮ型のトランジスタＴｒ３８，４０のエミッタに共通接続されている。トランジスタＴｒ３８のコレクタは電源電圧Ｖｃｃを供給する電源に接続し、一方、トランジスタＴｒ４０のコレクタは抵抗Ｒ12を介して電源電圧Ｖｃｃを供給する電源に接続されるとともに、ＮＰＮ型のトランジスタＴｒ４２のベースに接続されている。また、トランジスタＴｒ４０のベースは、抵抗Ｒ14を介して電源電圧Ｖｃｃを供給する電源に接続されるとともにＤｕｔｙ調整抵抗Ｒｂ2を介してグランドに接続されている。さらに、上記トランジスタＴｒ４２のコレクタは、電源電圧Ｖｃｃを供給する電源に接続され、トランジスタＴｒ４２のエミッタは抵抗Ｒ16を介してグランドに接続されるとともにＮＰＮ型のトランジスタＴｒ４４のベースに接続されている。また、トランジスタＴｒ４４のエミッタはグランドに接続され、トランジスタＴｒ４４のコレクタはＬＥＤ群２４に接続されている。
【００３４】
したがって、入力パルス信号ＤがＨのとき、トランジスタＴｒ３６がオンして、駆動電流が流れ抵抗ＲｂとコンデンサＣｂによる１次ローパスフィルタの時定数ｔｂによって位相ずれした駆動パルス信号Ｄｂが生成され、トランジスタＴｒ３８がオンする。Ｄｕｔｙ調整抵抗Ｒｂ2によりＤｕｔｙが調整された駆動電流ｉbが生成する。同時に、トランジスタＴｒ４０のオフで、トランジスタＴｒ４２がオンして、さらにトランジスタＴｒ４４がオンして、青の発光層を有する複数のＬＥＤからなるＬＥＤ群２４に駆動電流ｉrが供給され、ＬＥＤ群２４より青波長光が発せられる。
【００３５】
ここで、ＲＧＢ各ＬＥＤの順方向電圧ＶFに応じて、各ＬＥＤ群２０，２２，２４を構成するＬＥＤの直列接続数を調整する。また、上記抵抗ＲｇとコンデンサＣｇ、抵抗ＲｒとコンデンサＣｒ、抵抗ＲｂとコンデンサＣｂのそれぞれの組み合わせを変えることによって、駆動パルス信号Ｄｇ，Ｄｒ，Ｄｂが順次時間差ずれしてＨになり、その結果、順次時間差ずれしてＲＧＢのＬＥＤ群２０，２２，２４が順次発光する。したがって、瞬間的に大電流が流れてノイズが発生するおそれがなく、安定した照明を行うことができる。さらに、Ｄｕｔｙ調整抵抗Ｒｇ2，Ｒｒ2，Ｒｂ2の抵抗値を調製して、デューティーを調整することによって、ＲＧＢ３色のＬＥＤ群２０，２２，２４の発光効率を合わせることができ、ホワイトバランスが良好なＬＥＤ照明装置を得ることができる。
【００３６】
［実施形態３］
図３に、実施形態３のＲＧＢからなるＬＥＤを用いた白色光を形成する回路構成を示す。
【００３７】
実施形態３のＬＥＤ照明装置は、パルス幅変調（ＰＷＭ）コントローラ４０と、ＰＷＭコントローラ４０からのそれぞれ出力された入力パルス信号Ｄｇ，Ｄｒ，Ｄｂのうち、入力パルス信号Ｄｒ，Ｄｂの位相を順次ずらし、３種類の位相差を有する駆動パルス信号Ｄｒ’，Ｄｂ’を出力する遅延回路６０と、前記３種類の位相差を有する駆動パルス信号Ｄｇ，Ｄｒ’，Ｄｂ’により生成された駆動電流が供給される赤、青、緑の発光層を有する３種類の発光ダイオード群４２，４４，４６と、を有する。
【００３８】
次に、本実施形態のＬＥＤ照明装置の動作について図３を用いて説明する。
【００３９】
ＰＷＭコントローラ４０からの入力パルス信号Ｄｇは、ＮＰＮ型のトランジスタＴｒ５０のベースに入力される。トランジスタＴｒ５０のエミッタはグランドに接続され、一方トランジスタＴｒ５０のコレクタはＬＥＤ群４２に接続されている。したがって、予め発光効率が調整された入力パルス信号ＤｇがＨのときに、トランジスタＴｒ５０がＯＮして、ＧのＬＥＤの発光効率が所望となる駆動電流が流れ、緑（Ｇ）の発光波長を有するＬＥＤ群４２が発光する。
【００４０】
同様に、ＰＷＭコントローラ４０から出力された入力パルス信号Ｄｒは、遅延回路６０において、抵抗ＲｒとコンデンサＣｒによる１次ローパスフィルタの時定数ｔｒによって位相ずれした駆動パルス信号Ｄｒ’となり、この駆動パルス信号Ｄｒ’は、ＮＰＮ型のトランジスタＴｒ５２のベースに入力される。トランジスタＴｒ５２のエミッタはグランドに接続され、一方トランジスタＴｒ５２のコレクタはＬＥＤ群４４に接続されている。したがって、予め発光効率が調整された入力パルス信号Ｄｒを位相ずれさせて上記遅延回路６０より出力させた駆動パルス信号Ｄｒ’がＨのときに、トランジスタＴｒ５２がＯＮして、ＲのＬＥＤの発光効率が所望となる駆動電流が流れ、赤（Ｒ）の発光波長を有するＬＥＤ群４４が発光する。
【００４１】
さらに、ＰＷＭコントローラ４０から出力された入力パルス信号Ｄｂは、遅延回路６０において、抵抗ＲｂとコンデンサＣｂによる１次ローパスフィルタの時定数ｔｂによって位相ずれした駆動パルス信号Ｄｂ’となり、この駆動パルス信号Ｄｂ’は、ＮＰＮ型のトランジスタＴｒ５４のベースに入力される。トランジスタＴｒ５４のエミッタはグランドに接続され、一方トランジスタＴｒ５４コレクタはＬＥＤ群４６に接続されている。したがって、予め発光効率が調整された入力パルス信号Ｄｂを位相ずれさせて上記遅延回路６０より出力させた駆動パルス信号Ｄｂ’がＨのときに、トランジスタＴｒ５４がＯＮして、ＲのＬＥＤの発光効率が所望となる駆動電流が流れ、青（Ｂ）の発光波長を有するＬＥＤ群４６が発光する。
【００４２】
入力パルス信号ＤｇがＨとなると、順次時間ずれして駆動パルス信号Ｄｒ’，Ｄｂ’がＨになり、その結果、順次時間差ずれしてＲＧＢのＬＥＤ群４２，４４，４６が順次発光する。したがって、瞬間的に大電流が流れてノイズが発生するおそれがなく、安定した照明を行うことができる。
【００４３】
また、予め、入力パルス信号Ｄｇ，Ｄｒ，Ｄｂには、ＬＥＤ群４２，４４，４６の順方向電圧ＶFに応じた駆動電流が生成するように設定されている。したがって、発光時のＬＥＤ群４２，４４，４６の発光効率は揃い、ホワイトバランスの良好なＬＥＤ照明を行うことができる。
【産業上の利用可能性】
【００４４】
本発明のＬＥＤ照明装置は、ＯＡ機器、ビデオカメラ、携帯電話などの電子機器におけるバックライトのみならず、ＬＥＤ照明を行う用途であればいかなる用途も有用である。
【図面の簡単な説明】
【００４５】
【図１】実施形態１に係るＲＧＢからなるＬＥＤを用いた白色光を形成する回路の構成を示す回路図である。
【図２】実施形態２に係るＲＧＢからなるＬＥＤを用いた白色光を形成する回路の構成を示す回路図である。
【図３】実施形態３に係るＲＧＢからなるＬＥＤを用いた白色光を形成する回路の構成を示す回路図である。
【符号の説明】
【００４６】
１０  ＰＷＭコントローラ、１２，１４，１６  ＬＥＤ、５０  遅延回路。
【図１】
2006004839.tif 000003
【図２】
2006004839.tif 000004
【図３】
2006004839.tif 000005